(57)【要約】【課題】捕獲した深海生物を飼育水槽まで輸送するための深海生物の輸送装置において、高圧装置などを必要とせずに、安価にかつ確実に適応できる深海生物の輸送装置を提供することを課題とする。【解決手段】  捕獲した深海生物を飼育水槽まで輸送するための深海生物の輸送装置において、  深海生物を海水とともに収納するためのボンベ状収納容器と、この収納容器内を加圧するための手動ポンプによる加圧手段とが設けられ、収納容器内の圧力は、１ＭＰａ以下の圧力であることを特徴とする深海生物の輸送装置である。【選択図】図１
2010068816.tif 000002
【特許請求の範囲】
【請求項１】
捕獲した深海生物を飼育水槽まで輸送するための深海生物の輸送装置において、
深海生物を海水とともに収納するためのボンベ状収納容器と、この収納容器内を加圧するための手動ポンプによる加圧手段とが設けられ、収納容器内の圧力は、１ＭＰａ以下の圧力であることを特徴とする深海生物の輸送装置。
【発明の詳細な説明】
【技術分野】
【０００１】
本発明は、高圧力環境である、深海に生息する深海生物を飼育水槽まで輸送するための深海生物の輸送装置に関する。
【背景技術】
【０００２】
従来より、水族館や海洋生物研究機関などで水深が２００ｍ以上の深海に生息する生物を捕獲し、研究などのために地上において、深海と同じ高圧力環境において飼育することが行われている。
【０００３】
深海での高圧力環境を再現することは、高圧力に耐えうる高圧水槽など多額な費用がかかっていた。
【０００４】
特開平９−１１７２３５号公報などが開示されている。
【０００５】
近年、深海生物においても、高圧力環境から徐々に圧力を下げて、慣らして育成することにより、常圧環境でも多くの深海生物が育成できることが明らかとなってきた。
【先行技術文献】
【特許文献】
【０００６】
【特許文献１】特開平９−１１７２３５号公報
【発明の概要】
【発明が解決しようとする課題】
【０００７】
しかしながら、上記に示すように、深海での高圧環境から常圧環境まで圧力を徐々に変化させることを可能とする装置は、高圧に耐えうる高価で大型の高圧水槽と、その圧力を制御するための大掛かりな装置が必要であった。
【０００８】
本発明は、深海生物が高圧状態から常圧状態までの圧力環境の調整において、深海生物のもともと生息していた高圧環境から、常圧環境まで徐々に変化させる必要はなく、一定の圧力状態から常圧状態までを徐々に変化させることで十分に環境に適応できることを見出し、その分岐点となる圧力状態を見出し、その圧力から常圧までを徐々に変化させるシステムを開発し、本発明を完成させたものである。
【課題を解決するための手段】
【０００９】
上記の課題を解決するために、本発明の請求項１は、捕獲した深海生物を飼育水槽まで輸送するための深海生物の輸送装置において、深海生物を海水とともに収納するためのボンベ状収納容器と、この収納容器内を加圧するための手動ポンプによる加圧手段とが設けられ、収納容器内の圧力は、１ＭＰａ以下の圧力であることを特徴とする深海生物の輸送装置である。
【発明の効果】
【００１０】
本発明は以下の効果を奏する。
【００１１】
１）深海生物を常圧状態で飼育、鑑賞することが可能となる。
【００１２】
２）低圧からの圧力操作であるので、適応するまでの期間を飛躍的に短縮でき、コストも大幅に低減できる。
【００１３】
３）高圧の装置は必要としないので、安価に製作できるシステムである。
【００１４】
４）装置の機材は、市販品が使用でき、特殊な圧力専用装置、機器を必要としない。
【００１５】
５）高圧耐圧機器及び高圧配管がないので、安全性が高い。
【図面の簡単な説明】
【００１６】
【図１】深海生物の飼育システムの全体構成図である。
【図２】深海生物の飼育システムの高架槽関連手段の構成図である。
【図３】深海での圧力変化に対する血液中の気泡の膨張率の変化を示す図である。
【発明を実施するための形態】
【００１７】
本発明の実施の形態について図面を用いて説明する。
【００１８】
図１は深海生物の飼育システムの一実施例を示す全体構成図である。
【００１９】
本実施例は、深海生物を収容して育成する塩ビＴ管による飼育水槽と、高架槽と、還水槽（貯水槽）と、熱交換機（冷却機）及び濾過槽と、それらを連結し循環させる塩ビ製配管により構成されている。
【００２０】
そして、４階建ての建物の１階に飼育水槽が設置され、２階、３階、４階に、各々高架槽と還水槽と冷却機と濾過槽とが設置されており、各々１階の飼育水槽に配管により連結されている。
【００２１】
そして、各階ごとに機能するように、適時配管にバルブ  が設けられ、各階と１階の飼育水槽との連通を切り換えることができるようになっている。
【００２２】
従って、４階の高架槽を用いた場合は、圧力が高く、階が下がるごとに段階的に圧力を変化させることができるようになっている。
【００２３】
飼育水槽は塩ビ製のＴ型配管であり、管径は４０ｃｍのものを使用し、Ｔ管の上部に透明アクリル製板による窓が設けられており、内部の深海生物を観察することができる。
【００２４】
また、上記の還水槽（貯水槽）から高架槽へ小型のポンプにより海水が汲み上げられることにより、全体を海水が循環するようになっている。
【００２５】
図２は、各階に設置される、高架槽と還水槽と冷却機と濾過槽との構成例を示す概略構成図である。
【００２６】
還水槽には、海水を浄化するためのろ過槽が連結され、温度を調節するための冷却機が設けられている。
【００２７】
また、還水槽から高架槽の上部に小型のポンプにより海水が汲み上げられることにより、海水は、高架槽から飼育水槽に流れ、さらに飼育水槽から還水槽に戻り、循環するようになっている。
【００２８】
また、高架槽の底部に出口配管が接続され、その上部に汲み上げられることにより発生した泡は、飼育水槽までの配管には混入しないようになっている。
【００２９】
本発明のシステムでは、１階の飼育水槽から４階の高架槽までの高さは１５ｍとし、約１．５気圧から、各階の高架槽に切り換えて、段階的に０．５気圧ずつ圧力を下げることができるようにした。
【００３０】
深海生物の圧力に対する順応性については、高圧から常圧への圧力減少により、深海生物の体液中に含まれる空気が減圧により、体積膨張が起こり、急激な体積膨張に順応できずに死んでしまうものである。
【００３１】
しかしながら、その体液中の気泡の体積膨張においては、水深が深い場合には、体積膨張に大きな変化はなく、水深１００ｍより浅くなるにつれて大きな体積膨張が起こることが図３に示す、血液中の気泡の膨張率の計算結果に示されている。
【００３２】
従って、水深１００ｍ、すなわち、１０気圧より低い気圧の変化の場合は、徐々に変化させる必要があるが、水深が１００ｍより深い状態では、体積膨張による影響は少ないので急激な圧力の変化においてもほとんど問題がないことがわかる。
【００３３】
初期圧力は、０．３〜０．０５ＭＰａからでも深海生物への影響を少なくすることが可能である。
【００３４】
本発明は、この点に着目し、深海生物において、１０気圧以内からの圧力の緩やかな変化を実現する飼育環境を実現することで、深海生物を地上での常圧状態で飼育が可能となるシステムを提供できるものである。
【００３５】
本発明の実施例では、建物の各階に高架槽を設置して段階的に切り換えて圧力を変化させたが、高架槽を上下動させることにより、リニアに圧力を変化させるようにしても良い。
【００３６】
また、還水槽から高架槽に汲み上げることにより、循環海水に新鮮な酸素が供給されるが、別途、酸素を注入する手段を設けても良い。
【００３７】
本発明により、深海と同様の高圧環境を構築する必要はなく、常圧で深海生物を飼育することが可能となり、水族館などで深海生物を容易に鑑賞することが可能となる。
【００３８】
また、高架槽の底部に飼育水槽までの配管が接続されているので、気泡が混入した状態で加圧されることはなく、飼育水槽内の深海生物に悪影響がでないようになっている。
【００３９】
また、海水の循環において、小型のポンプで還水槽から高架槽に汲み上げることで循環させることで、振動がほとんど無い状態で加圧することを可能とし、圧力が非常に安定した状態で循環させることができ、ポンプの振動などがないので深海生物にストレスを与えてしまうことを防止できる。
【００４０】
また、深海生物を捕獲し、飼育水槽まで輸送する場合においては、深海生物の生息環境と同様な高圧状態で輸送する必要は無く、１Ｍｐ以下の圧力で輸送が可能であり、飲料用の液体輸送用ステンレス容器などを用いて、配管テスト用の手動ポンプで加圧して輸送することができる。
【００４１】
船舶においての捕獲作業においては、軽量で簡単に確実に捕獲、収納ができるものが良い。
【００４２】
市販の飲料用ボンベを活用し、手動の簡易ポンプで加圧することができ、作業性が良い。
【図１】
2010068816.tif 000003
【図２】
2010068816.tif 000004
【図３】
2010068816.tif 000005